Podtech/llm-jp-corpus-v4-ja_patent huggingface dataset:
【手続補正書】
【提出日】平成23年7月6日(2011.7.6)
【手続補正１】
【補正対象書類名】特許請求の範囲
【補正対象項目名】全文
【補正方法】変更
【補正の内容】
【特許請求の範囲】
【請求項１】
アクセスネットワーク及び中継ネットワークを含むネットワークにおいて、前記ネットワークのトラヒック量を含む統計情報及び警報情報を収集するネットワーク管理システムであって、
前記ネットワーク管理システムは、前記アクセスネットワークに接続するアクセス装置、及び、前記アクセスネットワークと前記中継ネットワークとを接続するエッジノードを備え、
前記アクセス装置は、
前記アクセス装置におけるトラヒック量を含む統計情報を計測し、
前記アクセス装置における装置警報及び通信警報のうち少なくともいずれか一つを含む警報情報を検出し、
前記計測された統計情報及び前記検出された警報情報を前記エッジノードに通知し、
前記エッジノードは、前記アクセス装置によって通知された統計情報及び警報情報を収集することを特徴とするネットワーク管理システム。
【請求項２】
前記エッジノードは、前記アクセス装置における統計情報及び警報情報のうち少なくともいずれか一つの取得を指示する制御フレームを前記アクセス装置に送信することによって前記アクセス装置から前記エッジノードまでの接続を確認し、
前記アクセス装置は、
前記制御フレームを受信すると、当該制御フレームによって指示された統計情報及び警報情報のうち少なくともいずれか一つを収集し、
前記制御フレームによって指示された統計情報及び警報情報を定期的に前記エッジノードに送信することを特徴とする請求項１に記載のネットワーク管理システム。
【請求項３】
前記エッジノードは、前記統計情報及び前記警報情報の収集を開始する指示を含むフレームを前記アクセス装置に送信し、
前記アクセス装置は、前記統計情報及び前記警報情報の収集を開始する指示を含むフレームを受信した場合に、前記統計情報の計測及び前記警報情報の検出を開始することを特徴とする請求項１に記載のネットワーク管理システム。
【請求項４】
前記エッジノードは、前記収集される統計情報の種類を指定するフレームを前記アクセス装置に送信し、
前記アクセス装置は、
前記収集される統計情報の種類を指定するフレームを受信した場合に、当該フレームによって指定された統計情報を計測し、
前記計測された統計情報を前記エッジノードに送信することを特徴とする請求項１に記載のネットワーク管理システム。
【請求項５】
前記エッジノードは、
前記アクセスネットワークから受信したトラヒック量を計測し、
前記アクセス装置から前記アクセスネットワークに送信されたトラヒック量を、当該アクセス装置から収集し、
前記計測されたトラヒック量と、前記アクセス装置から収集されたトラヒック量との差分を算出することを特徴とする請求項１に記載のネットワーク管理システム。
【請求項６】
前記エッジノードは、前記算出された差分が所定の第１の閾値よりも大きい場合には、前記アクセスネットワークに送信されるトラヒック量が所定のトラヒック量よりも小さくなるように設定された帯域を前記アクセス装置に通知し、
前記アクセス装置は、前記通知された帯域に基づいて、当該アクセス装置から前記アクセスネットワークに送信されるトラヒック量を制限することを特徴とする請求項５に記載のネットワーク管理システム。
【請求項７】
前記エッジノードは、
前記アクセスネットワークに送信するトラヒック量を計測し、
前記アクセス装置が前記アクセスネットワークから受信したトラヒック量を、当該アクセス装置から収集し、
前記計測されたトラヒック量と、前記アクセス装置から収集されたトラヒック量との差分を算出することを特徴とする請求項１に記載のネットワーク管理システム。
【請求項８】
前記エッジノードは、前記算出された差分が所定の第２の閾値よりも大きい場合には、前記アクセスネットワークに送信されるトラヒック量が所定のトラヒック量よりも小さくなるように制御することを特徴とする請求項７に記載のネットワーク管理システム。
【請求項９】
アクセスネットワーク及び中継ネットワークを含むネットワークにおいて、前記ネットワークのトラヒック量を含む統計情報及び警報情報を収集するネットワーク管理システムに含まれるエッジノードであって、
前記ネットワーク管理システムは、前記アクセスネットワークに接続し、トラヒック量を含む統計情報及び警報情報を計測するアクセス装置を備え、
前記エッジノードは、
前記アクセス装置によって計測された統計情報を収集し、
前記アクセス装置における装置警報及び通信警報のうち少なくともいずれか一つを検出することを特徴とするエッジノード。
【請求項１０】
アクセスネットワーク及び中継ネットワークを含むネットワークにおいて、前記ネットワークのトラヒック量を含む統計情報を収集するネットワーク管理システムに含まれるアクセス装置であって、
前記ネットワーク管理システムは、前記アクセスネットワークと前記中継ネットワークとを接続するエッジノードを備え、
前記アクセス装置は、
前記アクセスネットワークに接続され、
前記アクセス装置におけるトラヒック量を含む統計情報を計測し、
前記アクセス装置における装置警報及び通信警報のうち少なくともいずれか一つを含む警報情報を検出し、
前記計測された統計情報及び前記検出された警報情報を前記エッジノードに通知することを特徴とするアクセス装置。
【手続補正書】
【提出日】平成23年10月18日(2011.10.18)
【手続補正１】
【補正対象書類名】特許請求の範囲
【補正対象項目名】全文
【補正方法】変更
【補正の内容】
【特許請求の範囲】
【請求項１】
単結晶半導体でなる第１の基板表面からイオン種を照射して、前記第１の基板表面から所定の深さの領域に脆化層を形成し、
前記第１の基板の表面と第２の基板の表面とを接合させ、
前記第１の基板と前記第２の基板とを重ね合わせた状態で熱処理し、前記脆化層に亀裂を生じさせ、
前記第１の基板の一部の単結晶半導体を残存させたまま前記第１の基板を分離して、前記第２の基板上に第１の単結晶半導体膜を形成し、
前記第１の単結晶半導体膜上にｎ型の不純物もしくはｐ型の不純物のいずれか一方、又は両方をドーピングし、
前記第１の単結晶半導体膜に接するように第２の単結晶半導体膜を形成する半導体装置の作製方法であって、
前記第２の単結晶半導体膜はエピタキシャル成長又は固相成長したものであることを特徴とする半導体装置の作製方法。
【請求項２】
単結晶半導体でなる第１の基板上に第１の絶縁膜を形成し、
前記第１の絶縁膜表面からイオン種を照射して、前記第１の基板の所定の深さの領域に脆化層を形成し、
前記第１の絶縁膜上に第２の絶縁膜を形成し、
前記第２の絶縁膜の表面と第２の基板の表面とを接合させ、
前記第１の基板と前記第２の基板とを重ね合わせた状態で熱処理し、前記脆化層に亀裂を生じさせ、
前記第１の基板の一部の単結晶半導体を残存させたまま前記第１の基板を分離して、前記第２の基板上に前記第１の絶縁膜、前記第２の絶縁膜、および第１の単結晶半導体膜を形成し、
前記第１の単結晶半導体膜上にｎ型の不純物もしくはｐ型の不純物のいずれか一方、又は両方をドーピングし、
前記第１の単結晶半導体膜に接するように第２の単結晶半導体膜を形成する半導体装置の作製方法であって、
前記第２の単結晶半導体膜はエピタキシャル成長又は固相成長したものであることを特徴とする半導体装置の作製方法。
【請求項３】
請求項２において、
前記第１の絶縁膜は酸化シリコン膜で形成され、前記第２の絶縁膜は、窒化酸化シリコン膜で形成されることを特徴とする半導体装置の作製方法。
【請求項４】
請求項２において、
前記第１の絶縁膜および前記第２の絶縁膜のいずれか一方、または両方は、酸化シリコン膜、窒化シリコン膜、酸化窒化シリコン膜、窒化酸化シリコン膜のいずれかを組み合わせた積層構造を有していることを特徴とする半導体装置の作製方法。
【請求項５】
単結晶半導体でなる第１の基板表面からイオン種を照射して、前記第１の基板の所定の深さの領域に脆化層を形成し、
前記第１の基板上にｎ型の不純物もしくはｐ型の不純物を含む第１の非晶質半導体膜を形成し、
前記第１の非晶質半導体膜上に絶縁膜を形成し、
前記絶縁膜の表面と第２の基板の表面とを接合させ、
前記第１の基板と前記第２の基板とを重ね合わせた状態で熱処理し、前記第１の非晶質半導体膜をエピタキシャル成長により単結晶化させて第２の単結晶半導体膜を形成すると共に前記脆化層に亀裂を生じさせ、
前記第１の基板の一部の単結晶半導体を残存させたまま前記第１の基板を分離して、前記第２の基板上に前記絶縁膜、前記第２の単結晶半導体膜、および第３の単結晶半導体膜を形成することを特徴とする半導体装置の作製方法。
【請求項６】
単結晶半導体でなる第１の基板上に第１の絶縁膜を形成し、
前記第１の絶縁膜表面からイオン種を照射して、前記第１の基板の所定の深さの領域に脆化層を形成し、
前記第１の絶縁膜をエッチングにより除去し、
前記第１の基板上にｎ型の不純物もしくはｐ型の不純物を含む第１の非晶質半導体膜を形成し、
前記第１の非晶質半導体膜上に第２の絶縁膜を形成し、
前記第２の絶縁膜の表面と第２の基板の表面とを接合させ、
前記第１の基板と前記第２の基板とを重ね合わせた状態で熱処理し、前記第１の非晶質半導体膜をエピタキシャル成長により単結晶化させて第２の単結晶半導体膜を形成すると共に前記脆化層に亀裂を生じさせ、
前記第１の基板の一部の単結晶半導体を残存させたまま前記第１の基板を分離して、前記第２の基板上に前記第２の絶縁膜、前記第２の単結晶半導体膜、および第３の単結晶半導体膜を形成することを特徴とする半導体装置の作製方法。
【請求項７】
請求項６において、
前記第２の絶縁膜は、酸化シリコン膜、窒化シリコン膜、酸化窒化シリコン膜、窒化酸化シリコン膜のいずれかを用いて形成される、単層または積層構造であることを特徴とする半導体装置の作製方法。
【請求項８】
請求項１乃至請求項４のいずれか一において、
前記第１の単結晶半導体膜及び前記第２の単結晶半導体を有する薄膜トランジスタは、ソース領域、ドレイン領域、およびチャネル形成領域を有し、前記第１の単結晶半導体膜の前記チャネル形成領域にあたる領域は、前記ソース領域および前記ドレイン領域と逆の導電型の不純物を有していることを特徴とする半導体装置の作製方法。
【請求項９】
請求項５乃至請求項７のいずれか一において、
前記第２の単結晶半導体膜及び前記第３の単結晶半導体を有する薄膜トランジスタは、ソース領域、ドレイン領域、およびチャネル形成領域を有し、前記第２の単結晶半導体膜の前記チャネル形成領域にあたる領域は、前記ソース領域および前記ドレイン領域と逆の導電型の不純物を有していることを特徴とする半導体装置の作製方法。
【請求項１０】
請求項１乃至請求項９のいずれか一において、
前記熱処理は、前記脆化層に照射されたイオン種が離脱する温度で行われることを特徴とする半導体装置の作製方法。
【請求項１１】
請求項１乃至請求項１０のいずれか一において、
前記熱処理は、４００℃以上６００℃以下の温度で行われることを特徴とする半導体装置の作製方法。
【手続補正書】
【提出日】平成23年11月4日(2011.11.4)
【手続補正１】
【補正対象書類名】明細書
【補正対象項目名】発明の名称
【補正方法】変更
【補正の内容】
【発明の名称】薄膜トランジスタ、及び表示装置
【手続補正２】
【補正対象書類名】特許請求の範囲
【補正対象項目名】全文
【補正方法】変更
【補正の内容】
【特許請求の範囲】
【請求項１】
ゲート電極と、
前記ゲート電極上のゲート絶縁膜と、
前記ゲート絶縁膜上の前記ゲート電極の端部に至らない内側領域に設けられた半導体膜と、
前記半導体膜の上面及び側面を覆う非晶質半導体膜と、
前記非晶質半導体膜上のソース領域及びドレイン領域と、
前記ソース領域上のソース電極として機能する第１の配線と、
前記ドレイン領域上のドレイン電極として機能する第２の配線と、を有し、
前記半導体膜はドナーとなる不純物元素が添加されており、前記第１の配線及び前記第２の配線と、前記半導体膜とは直接接しないことを特徴とする薄膜トランジスタ。
【請求項２】
ゲート電極と、
前記ゲート電極上のゲート絶縁膜と、
前記ゲート絶縁膜上の前記ゲート電極の端部に至らない内側領域に設けられた半導体膜と、
前記半導体膜上の第１の非晶質半導体膜と、
前記第１の非晶質半導体膜の上面及び側面、並びに前記半導体膜の側面を覆う第２の非晶質半導体膜と、
前記第２の非晶質半導体膜上のソース領域及びドレイン領域と、
前記ソース領域上のソース電極として機能する第１の配線と、
前記ドレイン領域上のドレイン電極として機能する第２の配線と、を有し、
前記半導体膜はドナーとなる不純物元素が添加されており、前記第１の配線及び前記第２の配線と、前記半導体膜とは直接接しないことを特徴とする薄膜トランジスタ。
【請求項３】
ゲート電極と、
前記ゲート電極上のゲート絶縁膜と、
前記ゲート絶縁膜上の前記ゲート電極の端部に至らない内側領域に設けられた半導体膜と、
前記半導体膜上の非晶質半導体膜と、
前記非晶質半導体膜上のソース領域及びドレイン領域と、
前記半導体膜、前記非晶質半導体膜、前記ソース領域及び前記ドレイン領域の側面と前記ソース領域及び前記ドレイン領域の上面の一部を覆う絶縁膜と、
前記ソース領域及び前記絶縁膜上に形成され、且つ前記ソース領域に接するソース電極として機能する第１の配線と、
前記ドレイン領域及び前記絶縁膜上に形成され、且つ前記ドレイン領域に接するドレイン電極として機能する第２の配線と、を有し、
前記半導体膜はドナーとなる不純物元素が添加されており、前記第１の配線及び前記第２の配線と、前記半導体膜とは直接接しないことを特徴とする薄膜トランジスタ。
【請求項４】
ゲート電極と、
前記ゲート電極上のゲート絶縁膜と、
前記ゲート絶縁膜上の前記ゲート電極の端部に至らない内側領域に設けられた半導体膜と、
前記半導体膜上の非晶質半導体膜と、
前記半導体膜及び前記非晶質半導体膜の側面と前記非晶質半導体膜の上面の一部を覆う絶縁膜と、
前記非晶質半導体膜上のソース領域及びドレイン領域と、
前記ソース領域及び前記絶縁膜上に形成され、且つ前記ソース領域に接するソース電極として機能する第１の配線と、
前記ドレイン領域及び前記絶縁膜上に形成され、且つ前記ドレイン領域に接するドレイン電極として機能する第２の配線と、を有し、
前記半導体膜はドナーとなる不純物元素が添加されており、前記第１の配線及び前記第２の配線と、前記半導体膜とは直接接しないことを特徴とする薄膜トランジスタ。
【請求項５】
請求項１乃至４のいずれか一項において、
前記半導体膜は、ドナーとなる不純物元素が添加された結晶粒と、前記結晶粒を覆うゲルマニウムが添加された半導体膜であることを特徴とする薄膜トランジスタ。
【請求項６】
請求項１乃至４のいずれか一項において、
前記半導体膜は、シリコンまたはゲルマニウムを含む堆積性気体とともに、シリコンまたはゲルマニウムを含むフッ化物ガスを用いて形成された微結晶半導体膜であることを特徴とする薄膜トランジスタ。
【請求項７】
請求項１、３または４において、
前記半導体膜は微結晶半導体膜であり、
前記非晶質半導体膜は、水素、窒素、またはハロゲンを含むことを特徴とする薄膜トランジスタ。
【請求項８】
請求項２において、
前記半導体膜は微結晶半導体膜であり、
前記第１の非晶質半導体膜及び前記第２の非晶質半導体膜は、水素、窒素、またはハロゲンを含むことを特徴とする薄膜トランジスタ。
【請求項９】
請求項２または８において、
前記第２の非晶質半導体膜は、表面に凹部を有し、
前記凹部の深さは、前記第２の非晶質半導体膜の一番膜厚の厚い領域の１／２〜１／３であることを特徴とする薄膜トランジスタ。
【請求項１０】
請求項４において、
前記絶縁膜が形成されるとともに、前記非晶質半導体膜上にチャネル保護膜が形成されることを特徴とする薄膜トランジスタ。
【請求項１１】
請求項１乃至１０のいずれか一項において、
前記半導体膜の端部は、前記ソース領域及び前記ドレイン領域と重なることを特徴とする薄膜トランジスタ。
【請求項１２】
請求項１乃至１１のいずれか一項に記載の薄膜トランジスタをスイッチング素子として用いた表示装置。
【手続補正書】
【提出日】平成23年1月18日(2011.1.18)
【手続補正１】
【補正対象書類名】明細書
【補正対象項目名】発明の名称
【補正方法】変更
【補正の内容】
【発明の名称】復号装置と復号方法
【手続補正２】
【補正対象書類名】特許請求の範囲
【補正対象項目名】全文
【補正方法】変更
【補正の内容】
【特許請求の範囲】
【請求項１】
ビットストリームと、当該ビットストリームを記憶する仮想符号化バッファに前記ビットストリームが供給される時刻から前記ビットストリームを復号した画像データを記憶する仮想復号バッファに前記画像データが供給されるまでの遅延時間を示す遅延時間情報とを受け取る受け取り手段と、
前記受け取り手段により受け取られたビットストリームを復号する復号手段と、
前記受け取り手段により受け取られた遅延時間情報に従って復号するように、前記復号手段を制御する制御手段と、
を備える復号装置。
【請求項２】
前記制御手段は、前記ビットストリームが前記仮想復号バッファに供給されるタイミングを、前記受け取り手段により受け取られた遅延時間情報に示された値だけ遅延させるように、前記復号手段を制御する
請求項１に記載の復号装置。
【請求項３】
前記遅延時間情報は、前記ビットストリームのアクセスユニットを基準としたオフセット値である
請求項２に記載の復号装置。
【請求項４】
前記遅延時間情報は、最初のアクセスユニットを基準としたオフセット値である
請求項３に記載の復号装置。
【請求項５】
ビットストリームと、当該ビットストリームを記憶する仮想符号化バッファに前記ビットストリームが供給される時刻から前記ビットストリームを復号した画像データを記憶する仮想復号バッファに前記画像データが供給されるまでの遅延時間を示す遅延時間情報とを受け取る受け取り工程と、
前記受け取り工程において受け取られたビットストリームを復号する復号工程と、
前記受け取り工程において受け取られた前記遅延時間情報に従って復号するように、前記復号工程における復号を制御する制御工程と、
を備える復号方法。
【手続補正書】
【提出日】平成23年9月16日(2011.9.16)
【手続補正１】
【補正対象書類名】特許請求の範囲
【補正対象項目名】請求項１
【補正方法】変更
【補正の内容】
【請求項１】
電動モータと該電動モータを制御するための回路基板とを備え、前記電動モータを覆うケーシング内には、前記回路基板を収納するための基板収納部が設けられるとともに、前記基板収納部に収納された前記回路基板はカバーによって覆われているモータユニットの回路基板固定構造であって、
前記回路基板に貫通孔が形成されており、
前記ケーシングおよび前記カバーの少なくとも一方と前記回路基板との間に前記貫通孔の開口長さより長い弾性部材が設けられており、
前記ケーシングと前記カバーとによって前記回路基板が挟まれるともに、前記弾性部材が、前記貫通孔に食い込むことにより、前記ケーシングに対して前記回路基板が固定されていることを特徴とするモータユニットの回路基板固定構造。
【手続補正２】
【補正対象書類名】明細書
【補正対象項目名】０００８
【補正方法】変更
【補正の内容】
【０００８】
請求項１に記載の発明は、電動モータと電動モータを制御するための回路基板とを備え、電動モータを覆うケーシング内には、回路基板を収納するための基板収納部が設けられるとともに、基板収納部に収納された回路基板はカバーによって覆われているモータユニットの回路基板固定構造であって、回路基板に貫通孔が形成されており、ケーシングおよびカバーの少なくとも一方と回路基板との間に貫通孔の開口長さより長い弾性部材が設けられており、ケーシングとカバーとによって回路基板が挟まれるともに、弾性部材が、貫通孔に食い込むことにより、ケーシングに対して回路基板が固定されていることを特徴とする。
【手続補正書】
【提出日】平成22年11月24日(2010.11.24)
【手続補正１】
【補正対象書類名】特許請求の範囲
【補正対象項目名】全文
【補正方法】変更
【補正の内容】
【特許請求の範囲】
【請求項１】
下記を具備する、無線通信システムにおいて、移動局を追跡するための方法：
前記移動局がソフトハンドオフ状態にあるかどうか判断する；
前記移動局がソフトハンドオフ状態にあるなら、レーキアンテナのロック状態を無視する；および
前記移動局がソフトハンドオフ状態にないなら、所定の電力制御パターンを送信する。
【請求項２】
前記移動局がソフトハンドオフ状態にあるなら、受信した信号エネルギーの関数として前記電力制御を調節することをさらに具備する、請求項１の方法。
【請求項３】
複数のフィンガを有するレーキ受信機を有する無線通信システムにおいて、
前記複数のフィンガの第１のフィンガに対するロック状態を決定することと、
前記第１のフィンガがロックしていないなら、前記第１のフィンガに対する受信した信号エネルギとしきい値との比較を判断することと、
前記比較に応答して前記第１のフィンガに関して受信した処理信号のためのロックフィルタを調節することと、
前記ロックフィルタを調節する前に前記第１のフィンガがロックしないなら、第１の時間待つことと、
を具備する方法。
【請求項４】
マルチパス信号を受信するように適合した複数のフィンガを有するレーキ受信機と、
前記受信した信号エネルギを第１のエネルギしきい値と比較し、該比較に応答して信号のフィルタリングを調節し、前記フィルタリングを調節する前に前記複数のフィンガの第１のフィンガがロックしていないなら、第１の時間待つように動作するレーキ受信機に接続されたロック検出器と、
を具備するトランシーバ。
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
スルーホールが形成されたフレキシブルプリント配線板と、
前記フレキシブルプリント配線板の第１の面に実装された撮像素子と、
前記フレキシブルプリント配線板の前記第１の面とは反対側の第２の面に設けられ、前記撮像素子を駆動する駆動回路に接続された接続部と、
前記フレキシブルプリント配線板の前記第１の面において前記撮像素子に接続されるように形成され、前記スルーホールを介して該フレキシブルプリント配線板の前記第２の面において前記接続部に接続されるように形成された駆動信号パターンと、
前記フレキシブルプリント配線板の前記第１の面及び前記第２の面において、少なくとも前記駆動信号パターンと対向する位置に形成された接地パターンと、を有することを特徴とする撮像装置。
【請求項２】
前記フレキシブルプリント配線板は、第１の領域と第２の領域との境界となる第１の屈曲部、及び、該第２の領域と第３の領域との境界となる第２の屈曲部を備え、
前記撮像素子は、前記第１の領域において、前記フレキシブルプリント配線板の前記第１の面に実装され、
前記スルーホールは、前記フレキシブルプリント配線板の前記第２の領域に形成され、
前記接続部は、前記第３の領域において、前記フレキシブルプリント配線板の前記第２の面に設けられていることを特徴とする請求項１記載の撮像装置。
【請求項３】
前記接地パターンは、前記スルーホールを除いて、前記駆動信号パターンに対向する全ての部分に形成されていることを特徴とする請求項１又は２記載の撮像装置。
【請求項４】
前記駆動信号パターンは、前記撮像素子の水平駆動パルスパターンであることを特徴とする請求項１乃至３のいずれか一に記載の撮像装置。
【請求項５】
前記接続部は、嵌合部を備えた基板対基板コネクタであることを特徴とする請求項１乃至４のいずれか一に記載の撮像装置。
【請求項６】
前記フレキシブルプリント配線板には、前記スルーホールの周囲において、電波を吸収するためのシート部材が設けられていることを特徴とする請求項１乃至５のいずれか一に記載の撮像装置。
【請求項７】
前記駆動回路は、前記フレキシブルプリント配線板の前記接続部に接続する接続面と同一の面において、基板に実装されていることを特徴とする請求項１乃至６のいずれか一に記載の撮像装置。
【請求項８】
前記撮像装置は光学処理を行う撮像ユニットを有するとともに、前記撮像ユニットは、ズーム操作時に突出する部品を有し、
前記スルーホールは、前記部品の突出方向において、該部品と重ならない位置に配置されていることを特徴とする請求項６記載の撮像装置。
【請求項９】
前記スルーホールが形成された前記フレキシブルプリント配線板の第２の領域は、前記撮像装置が有する光学処理を行う撮像ユニットの光軸方向と平行に配置された平面であることを特徴とする請求項２記載の撮像装置。
【手続補正書】
【提出日】平成23年1月11日(2011.1.11)
【手続補正１】
【補正対象書類名】特許請求の範囲
【補正対象項目名】全文
【補正方法】変更
【補正の内容】
【特許請求の範囲】
【請求項１】
主走査方向に直線状に配置される複数の照明光源を有すると共に副走査方向に移動しながら原稿を照明する照明手段と、
前記複数の照明光源にそれぞれ接続されると共に当該接続された照明光源を点灯させるための複数の駆動回路と、
前記照明手段により照明された原稿から前記原稿の画像を読み取る読取手段とを備える画像読取装置において、
前記複数の駆動回路のうち故障している駆動回路を検出する検出手段と、
前記検出された故障している駆動回路に接続された照明光源を故障していない駆動回路に接続する切り替え手段とを備えることを特徴とする画像読取装置。
【請求項２】
前記複数の駆動回路は、それぞれが少なくとも２つの照明光源を点灯する能力を有することを特徴とする請求項１記載の画像読取装置。
【請求項３】
前記複数の駆動回路の一つは、前記照明手段のすべての照明光源を点灯する能力を有することを特徴とする請求項１記載の画像読取装置。
【請求項４】
前記検出手段により、故障している駆動回路が検出された場合は、前記駆動回路の交換をユーザに促すメッセージを表示する表示手段を備えることを特徴とする請求項１乃至３のいずれか１項に記載の画像読取装置。
【請求項５】
前記照明光源は、複数のＬＥＤを直列接続された光源を含むことを特徴とする請求項１乃至４のいずれか１項に記載の画像読取装置。
【請求項６】
原稿を載置する載置手段と、
主走査方向に直線状に配置される複数の照明光源を有すると共に副走査方向に移動しながら前記載置手段に載置された原稿を照明する照明手段と、
前記照明手段により照明された原稿から前記原稿の画像を読み取る読取手段と、
前記読取手段により読み取られた画像の画像信号を外部に送出する送出手段とを備える画像読取装置において、
前記複数の照明光源のうち故障している照明光源を検出する検出手段と、
前記検出された故障している照明光源以外の照明光源で読み取り可能な画像に合わせて画像信号を送出するように前記送出手段による画像信号の送出タイミングを制御する制御手段とを備えることを特徴とする画像読取装置。
【請求項７】
前記検出手段により検出された故障している照明光源以外の照明光源で前記載置手段を照明して画像の読み取りが可能な範囲をユーザに通知する通知手段を備えることを特徴とする請求項６記載の画像読取装置。
【請求項８】
前記送出手段は、前記検出された故障している照明光源以外の照明光源で読み取り可能な画像のみを外部に送出することを特徴とする請求項６又は７に記載の画像読取装置。
【請求項９】
前記検出手段により、故障している照明光源が検出された場合は、前記照明手段の交換をユーザに促すメッセージを表示する表示手段を備えることを特徴とする請求項６乃至８のいずれか１項に記載の画像読取装置。
【請求項１０】
前記照明光源は、複数のＬＥＤを直列接続された光源を含むことを特徴とする請求項６乃至９のいずれか１項に記載の画像読取装置。
【手続補正２】
【補正対象書類名】明細書
【補正対象項目名】０００７
【補正方法】変更
【補正の内容】
【０００７】
上述の目的を達成するために、請求項１記載の画像読取装置は、主走査方向に直線状に配置される複数の照明光源を有すると共に副走査方向に移動しながら原稿を照明する照明手段と、前記複数の照明光源にそれぞれ接続されると共に当該接続された照明光源を点灯させるための複数の駆動回路と、前記照明手段により照明された原稿から前記原稿の画像を読み取る読取手段とを備える画像読取装置において、前記複数の駆動回路のうち故障している駆動回路を検出する検出手段と、前記検出された故障している駆動回路に接続された照明光源を故障していない駆動回路に接続する切り替え手段とを備えることを特徴とする。
【手続補正３】
【補正対象書類名】明細書
【補正対象項目名】０００８
【補正方法】変更
【補正の内容】
【０００８】
上述の目的を達成するために、請求項６に記載の画像読取装置は、原稿を載置する載置手段と、主走査方向に直線状に配置される複数の照明光源を有すると共に副走査方向に移動しながら前記載置手段に載置された原稿を照明する照明手段と、前記照明手段により照明された原稿から前記原稿の画像を読み取る読取手段と、前記読取手段により読み取られた画像の画像信号を外部に送出する送出手段とを備える画像読取装置において、前記複数の照明光源のうち故障している照明光源を検出する検出手段と、前記検出された故障している照明光源以外の照明光源で読み取り可能な画像に合わせて画像信号を送出するように前記送出手段による画像信号の送出タイミングを制御する制御手段とを備えることを特徴とする。
【手続補正４】
【補正対象書類名】明細書
【補正対象項目名】０００９
【補正方法】変更
【補正の内容】
【０００９】
本発明によれば、故障している駆動回路に接続された照明光源を、故障していない駆動回路に接続するように切り替えるので、照明光源の駆動回路に故障が発生しても、正常な読み取り画像を得ることができる。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
記憶媒体が接続された外部装置と通信可能な情報処理装置であって、
前記記憶媒体に記憶されている画像を出力する指示を受け付ける入力手段と、
前記入力手段によって指示の入力の受け付けが行われる前に、前記記憶媒体に記憶されている画像のコピーを前記外部装置から取得し、該画像と対応するキャッシュ画像として保存する画像取得手段と、
前記入力手段によって指示の入力の受け付けが行われた場合、前記画像取得手段により取得したキャッシュ画像のうち、出力を指示された画像に対応するキャッシュ画像を出力するよう制御する出力制御手段と、
前記出力を指示された画像の属性を前記外部装置から取得する属性取得手段と、
前記出力を指示された画像に対応するキャッシュ画像が出力される前に、該キャッシュ画像の属性を、前記属性取得手段により取得された属性に変更する属性変更手段とを有することを特徴とする情報処理装置。
【請求項２】
前記画像取得手段は、前記情報処理装置と前記外部装置との接続が検知されたことに応じて、前記記憶媒体に記憶されている画像のコピーを前記外部装置から自動的に取得することを特徴とする請求項１に記載の情報処理装置。
【請求項３】
前記記憶媒体に記憶されている画像に対応するキャッシュ画像が保存されているか否かを、前記記憶媒体に記憶されている画像の属性に基づき判断する取得判断手段を有し、
前記画像取得手段は、前記取得判断手段により対応するキャッシュ画像が保存されていると判断された場合、前記記憶媒体に記憶されている画像を取得しないことを特徴とする請求項１または２に記載の情報処理装置。
【請求項４】
前記属性は、前記外部装置の記憶媒体に記憶されている画像と前記画像取得手段により保存されたキャッシュ画像とを対応づける情報を含むことを特徴とする請求項１乃至３のいずれか１項に記載の情報処理装置。
【請求項５】
前記属性取得手段によって取得した属性と、前記属性を有する画像に対応するキャッシュ画像の属性とを比較する比較手段を有し、
前記属性変更手段は、前記比較手段により属性が異なっていないと判断されたキャッシュ画像の属性を変更しないことを特徴とする請求項１乃至４のいずれか１項に記載の情報処理装置。
【請求項６】
前記属性変更手段は、前記キャッシュ画像の属性を変更した場合、前記キャッシュ画像が前記出力制御手段の制御により出力された後に、前記キャッシュ画像の属性を変更前の属性に戻すことを特徴とする請求項１乃至５のいずれか１項に記載の情報処理装置。
【請求項７】
前記属性は、画像の回転方向を示す回転属性を含むことを特徴とする請求項１乃至６のいずれか１項に記載の情報処理装置。
【請求項８】
前記属性は、画像の色効果を示す属性を含むことを特徴とする請求項１乃至７のいずれか１項に記載の情報処理装置。
【請求項９】
前記出力制御手段は、前記出力を指示された画像を前記外部装置とは異なるプリンタに出力するよう制御することを特徴とする請求項１乃至８のいずれか１項に記載の情報処理装置。
【請求項１０】
前記出力制御手段は、前記出力を指示された画像を前記外部装置とは異なるサーバに出力するよう制御することを特徴とする請求項１乃至９のいずれか１項に記載の情報処理装置。
【請求項１１】
前記外部装置は、被写体を撮像する撮像手段を含み、
前記画像取得手段は、前記撮像手段による撮像により得られた画像を取得することを特徴とする請求項１乃至１０のいずれか１項に記載の情報処理装置。
【請求項１２】
記憶媒体が接続された外部装置と通信可能な情報処理装置の制御方法であって、
前記記憶媒体に記憶されている画像を出力する指示を受け付ける入力工程と、
前記入力工程での指示の入力の前に、前記記憶媒体に記憶されている画像のコピーを前記外部装置から取得し、該画像と対応するキャッシュ画像として保存する画像取得工程と、
前記入力工程にて指示の入力を受け付けた場合、前記画像取得工程にて取得したキャッシュ画像のうち、出力を指示された画像に対応するキャッシュ画像を出力する出力工程と、
前記出力を指示された画像の属性を前記外部装置から取得する属性取得工程と、
前記出力を指示された画像に対応するキャッシュ画像が出力される前に、該キャッシュ画像の属性を、前記属性取得工程にて取得された属性に変更する属性変更工程とを有することを特徴とする情報処理装置の制御方法。
【請求項１３】
コンピュータを、前記請求項１乃至１１のいずれか１項に記載の情報処理装置として機能させるための、コンピュータが読み取り可能なプログラム。
【手続補正２】
【補正対象書類名】明細書
【補正対象項目名】０００９
【補正方法】変更
【補正の内容】
【０００９】
上述した課題を解決するために、本発明に係る情報処理装置は、記憶媒体が接続された外部装置と通信可能な情報処理装置であって、前記記憶媒体に記憶されている画像を出力する指示を受け付ける入力手段と、前記入力手段によって指示の入力の受け付けが行われる前に、前記記憶媒体に記憶されている画像のコピーを前記外部装置から取得し、該画像と対応するキャッシュ画像として保存する画像取得手段と、前記入力手段によって指示の入力の受け付けが行われた場合、前記画像取得手段により取得したキャッシュ画像のうち、出力を指示された画像に対応するキャッシュ画像を出力するよう制御する出力制御手段と、前記出力を指示された画像の属性を前記外部装置から取得する属性取得手段と、前記出力を指示された画像に対応するキャッシュ画像が出力される前に、該キャッシュ画像の属性を、前記属性取得手段により取得された属性に変更する属性変更手段とを有することを特徴とする。
【手続補正３】
【補正対象書類名】明細書
【補正対象項目名】００１０
【補正方法】変更
【補正の内容】
【００１０】
また、本発明に係わる情報処理装置の制御方法は、記憶媒体が接続された外部装置と通信可能な情報処理装置の制御方法であって、前記記憶媒体に記憶されている画像を出力する指示を受け付ける入力工程と、前記入力工程での指示の入力の前に、前記記憶媒体に記憶されている画像のコピーを前記外部装置から取得し、該画像と対応するキャッシュ画像として保存する画像取得工程と、前記入力工程にて指示の入力を受け付けた場合、前記画像取得工程にて取得したキャッシュ画像のうち、出力を指示された画像に対応するキャッシュ画像を出力する出力工程と、前記出力を指示された画像の属性を前記外部装置から取得する属性取得工程と、前記出力を指示された画像に対応するキャッシュ画像が出力される前に、該キャッシュ画像の属性を、前記属性取得工程にて取得された属性に変更する属性変更工程とを有することを特徴とすることを特徴とする。
【手続補正書】
【提出日】平成23年1月17日(2011.1.17)
【手続補正１】
【補正対象書類名】特許請求の範囲
【補正対象項目名】全文
【補正方法】変更
【補正の内容】
【特許請求の範囲】
【請求項１】
並列に接続された第１のインダクタおよびキャパシタからなるＬＣタンク、ならびに、第１の負性抵抗回路を含む１次側のＬＣ発振器と、相互インダクタンスを発生する相互誘導作用によって前記第１のインダクタと結合された第２のインダクタおよび第２の負性抵抗回路を含む２次側のＬＣ発振器とを備え、
前記第１および第２の負性抵抗回路の抵抗値の合計は、前記寄生抵抗の抵抗値以上であり、逆極性であることを特徴とするＬＣ発振器。
【請求項２】
前記１次側のＬＣ発振器の負性抵抗回路は、前記第１のインダクタの両端に接続された端子の間で対称な信号を出力し、前記２次側のＬＣ発振器の負性抵抗回路は、前記第２のインダクタの両端に接続された端子の間で非対称な信号を出力することを特徴とする請求項１記載のＬＣ発振器。
【請求項３】
前記２次側のＬＣ発振器の負性抵抗回路は、インバータと、該インバータの入力端子とグランドとの間に接続された第１のキャパシタと、前記インバータの出力端子とグランドとの間に接続された第２のキャパシタとを備え、
前記第１のキャパシタの容量値よりも前記第２のキャパシタの容量値の方が大きいことを特徴とする請求項１または２に記載のＬＣ発振器。
【手続補正２】
【補正対象書類名】明細書
【補正対象項目名】００１４
【補正方法】変更
【補正の内容】
【００１４】
上記目的を達成するために、本発明は、並列に接続された第１のインダクタおよびキャパシタからなるＬＣタンク、ならびに、第１の負性抵抗回路を含む１次側のＬＣ発振器と、相互インダクタンスを発生する相互誘導作用によって前記第１のインダクタと結合された第２のインダクタおよび第２の負性抵抗回路を含む２次側のＬＣ発振器とを備え、
前記第１および第２の負性抵抗回路の抵抗値の合計は、前記寄生抵抗の抵抗値以上であり、逆極性であることを特徴とするＬＣ発振器を提供するものである。
【手続補正３】
【補正対象書類名】明細書
【補正対象項目名】００１５
【補正方法】変更
【補正の内容】
【００１５】
前記１次側のＬＣ発振器の負性抵抗回路は、前記第１のインダクタの両端に接続された端子の間で対称な信号を出力し、前記２次側のＬＣ発振器の負性抵抗回路は、前記第２のインダクタの両端に接続された端子の間で非対称な信号を出力することが好ましい。
【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
画像を複数のマクロブロックに分割して符号化を行う符号化装置であって、
前記複数のマクロブロックのそれぞれについて、量子化に用いる量子化パラメータを指定する設定指示を生成する生成手段と、
前記生成手段により生成された前記設定指示に基づいて、前記マクロブロックの量子化パラメータを決定する決定手段と、
前記マクロブロックについて直交変換と、決定された前記量子化パラメータを用いた量子化とを行う変換手段と、
前記変換手段による変換結果を符号化する符号化手段と、
を備え、
前記生成手段は、前記マクロブロックを構成するサブブロックについて画像の複雑さを表す分散を算出する算出手段を有し、符号化対象マクロブロックを構成する複数のサブブロックのそれぞれから算出された分散と、該符号化対象マクロブロックに隣接するサブブロックから算出された分散とに基づいて前記符号化対象マクロブロックのための量子化パラメータを指定する設定指示を生成することを特徴とする符号化装置。
【請求項２】
前記設定指示では、
高周波成分を多く含むマクロブロックの量子化のための第１の種別の量子化パラメータと、
前記第１の種別の量子化パラメータよりも量子化スケールの小さい第２の種別の量子化パラメータとの
いずれかが指定されることを特徴とする請求項１に記載の符号化装置。
【請求項３】
前記生成手段は、前記符号化対象マクロブロックを構成するサブブロックの分散と、該符号化対象マクロブロックに隣接するサブブロックの分散とのうち、最小値と最大値とを決定し、該最大値と最小値との差分が第１の閾値より大きい場合に、前記第２の種別の量子化パラメータを指定する設定指示を生成することを特徴とする請求項２に記載の符号化装置。
【請求項４】
前記生成手段は、前記差分が前記第１の閾値より大きくない場合であって、
前記最小値が第２の閾値より小さい場合は、前記第２の種別の量子化パラメータを指定する設定指示を生成し、
前記最小値が第２の閾値より小さくない場合は、前記第１の種別の量子化パラメータを指定する設定指示を生成することを特徴とする請求項３に記載の符号化装置。
【請求項５】
前記生成手段は、前記符号化対象マクロブロックを構成するサブブロックのいずれかの分散が前記第２の閾値より小さく、かつ、前記符号化対象マクロブロックに隣接するサブブロックの分散が第３の閾値より大きい場合に、前記第２の種別の量子化パラメータを指定する設定指示を生成することを特徴とする請求項４に記載の符号化装置。
【請求項６】
画像を複数のマクロブロックに分割して符号化を行う符号化装置の制御方法であって、
前記符号化装置の生成手段が、前記複数のマクロブロックのそれぞれについて、量子化に用いる量子化パラメータを指定する設定指示を生成する生成工程と、
前記符号化装置の決定手段が、前記生成工程において生成された前記設定指示に基づいて、前記マクロブロックの量子化パラメータを決定する決定工程と、
前記符号化装置の変換手段が、前記マクロブロックについて直交変換と、決定された前記量子化パラメータを用いた量子化とを行う変換工程と、
前記符号化装置の符号化手段が、前記変換工程における変換結果を符号化する符号化工程と、
を備え、
前記生成工程では、前記マクロブロックを構成するサブブロックについて画像の複雑さを表す分散を算出する算出工程を有し、符号化対象マクロブロックを構成する複数のサブブロックのそれぞれから算出された分散と、該符号化対象マクロブロックに隣接するサブブロックから算出された分散とに基づいて前記符号化対象マクロブロックのための量子化パラメータを指定する設定指示を生成することを特徴とする符号化装置の制御方法。
【請求項７】
コンピュータを、請求項１乃至５のいずれか１項に記載の符号化装置の各手段として機能させるためのコンピュータプログラム。
【手続補正２】
【補正対象書類名】明細書
【補正対象項目名】００１９
【補正方法】変更
【補正の内容】
【００１９】
上記課題を解決するための本発明は、画像を複数のマクロブロックに分割して符号化を行う符号化装置であって、
前記複数のマクロブロックのそれぞれについて、量子化に用いる量子化パラメータを指定する設定指示を生成する生成手段と、
前記生成手段により生成された前記設定指示に基づいて、前記マクロブロックの量子化パラメータを決定する決定手段と、
前記マクロブロックについて直交変換と、決定された前記量子化パラメータを用いた量子化とを行う変換手段と、
前記変換手段による変換結果を符号化する符号化手段と、
を備え、
前記生成手段は、前記マクロブロックを構成するサブブロックについて画像の複雑さを表す分散を算出する算出手段を有し、符号化対象マクロブロックを構成する複数のサブブロックのそれぞれから算出された分散と、該符号化対象マクロブロックに隣接するサブブロックから算出された分散とに基づいて前記符号化対象マクロブロックのための量子化パラメータを指定する設定指示を生成することを特徴とする。
【手続補正３】
【補正対象書類名】明細書
【補正対象項目名】００２６
【補正方法】変更
【補正の内容】
【００２６】
また、符号化ピクチャがフレーム間符号化（インター符号化）ピクチャの時は、符号化されたピクチャに対して逆量子化部１０５で逆量子化、逆直交変換部１０６で逆直交変換処理を行ったローカルデコード画像が作成される。そして、符号化対象のピクチャとの動き推定を動き推定部１０７で、動き補償を動き補償部１０８で行い、ローカルデコード画像との差分値を加減算部１０２で算出する。差分値は、直交変換部１０３においてマクロブロック内の信号に対して直交変換処理を行い、量子化部１０４でＤＣＴ係数を量子化する。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
情報処理装置であって、
当該情報処理装置に接続された電子機器より、前記電子機器に接続された記憶媒体に記憶された画像データを取得する第１の取得手段と、
前記第１の取得手段による画像データの取得の前に、前記画像データに対応する縮小画像データを予め取得する第２の取得手段と、
ユーザにより指定された表示条件に従って、表示手段に表示する縮小画像データを前記第２の取得手段が取得した前記縮小画像データから選択して表示する表示制御手段と、
前記第１の取得手段が画像データの取得を実行している間に前記表示制御手段による縮小画像データの表示が実行された場合、指定された表示条件に基づいて前記第１の取得手段による画像データの取得順を変更する変更手段とを備えることを特徴とする情報処理装置。
【請求項２】
前記第２の取得手段はさらに、前記電子機器から取得すべき画像データのリストを取得し、
前記第１の取得手段は、前記第２の取得手段が取得した前記リストにおいて示される取得順に従って前記電子機器から画像データを取得し、
前記変更手段は、前記リストにおいて示される取得順を変更することを特徴とする請求項１に記載の情報処理装置。
【請求項３】
前記表示制御手段はさらに、前記縮小画像データを用いた縮小画像の一覧を表示し、
前記変更手段は、前記縮小画像の一覧の表示内容が更新された場合に、新たに表示される縮小画像の一覧に含まれる縮小画像に対応した画像データが先に取得されるように、前記リストにおける画像データの取得順を変更することを特徴とする請求項２に記載の情報処理装置。
【請求項４】
前記変更手段は、前記縮小画像の一覧において縮小画像が選択された場合には、前記選択された縮小画像に対応した画像データが先に取得されるように前記リストの取得順を変更することを特徴とする請求項３に記載の情報処理装置。
【請求項５】
前記変更手段は、前記表示条件の変更に応じて、変更した表示条件に合う画像データが先に取得されるように前記リストにおける画像データの取得順を変更することを特徴とする請求項２乃至４のいずれかに記載の情報処理装置。
【請求項６】
前記表示条件の変更は、前記情報処理装置が提供するユーザインターフェースを介して指示されることを特徴とする請求項１乃至５のいずれかに記載の情報処理装置。
【請求項７】
前記表示条件の変更は、前記接続された電子機器が提供するユーザインターフェースを介して指示されることを特徴とする請求項１乃至５のいずれかに記載の情報処理装置。
【請求項８】
前記情報処理装置が提供するユーザインターフェースを介した操作を有効にする内部操作モードと、前記接続された電子機器が提供するユーザインターフェースを介した操作を有効にする外部操作モードの何れかを指定する指定手段を更に備え、
前記内部操作モードが指定されている場合は、前記表示条件の変更は、前記情報処理装置が提供するユーザインターフェースを介して指示され、
前記外部操作モードが指定されている場合は、前記表示条件の変更は、前記接続された電子機器が提供するユーザインターフェースを介して指示されることを特徴とする請求項１乃至５のいずれかに記載の情報処理装置。
【請求項９】
前記表示条件は、画像データを生成した日時に基づく条件であることを特徴とする請求項１乃至８のいずれかに記載の情報処理装置。
【請求項１０】
前記第１の取得手段による画像データの取得中に前記変更手段が取得順を変更する場合、前記変更手段は、
取得中の画像データが静止画を表す場合には、当該画像データの取得が完了した後に前記第１の取得手段による取得を中断して前記取得順を変更し、
取得中の画像データが動画を表す場合には、当該画像データの取得を直ちに中断して、前記取得順を変更することを特徴とする請求項１乃至９のいずれかに記載の情報処理装置。
【請求項１１】
情報処理装置による情報処理方法であって、
第１の取得手段が、当該情報処理装置に接続された電子機器より、前記電子機器に接続された記憶媒体に記憶された画像データを取得する第１の取得工程と、
第２の取得手段が、前記第１の取得工程による画像データの取得の前に、前記画像データに対応する縮小画像データを予め取得する第２の取得工程と、
表示制御手段が、ユーザにより指定された表示条件に従って、表示手段に表示する縮小画像データを前記第２の取得工程で取得した前記縮小画像データから選択して表示する表示制御工程と、
変更手段が、前記第１の取得工程において画像データの取得を実行している間に前記表示制御工程における縮小画像データの表示が実行された場合、指定された表示条件に基づいて前記第１の取得工程による画像データの取得順を変更する変更工程とを有することを特徴とする情報処理方法。
【請求項１２】
請求項１１に記載の情報処理方法の各工程をコンピュータに実行させるためのプログラム。
【請求項１３】
請求項１１に記載の情報処理方法の各工程をコンピュータに実行させるためのプログラムを格納したコンピュータ読み取り可能な記憶媒体。